(57)【要約】【課題】本発明は、建築物、特に既存木造建築物の床下の湿度環境を改善する上で、遮湿シートおよび除湿剤を容易かつ適切に床下に設置することのできる、施工性に優れた床下遮湿・除湿工法を提供することを目的とする。【解決手段】各辺に重ね代を有する四角形の遮湿シートを該遮湿シートのくぼみ部に束石が収まるように位置合わせして建築物の床下地面に順次敷き詰める工程と、遮湿シートの重ね代にて遮湿シート同士を固定する工程と、つなぎ用遮湿シートを介して遮湿シートと束石の周囲もしくは基礎立ち上がり部とを固定する工程と、除湿剤入り容器を前記遮湿シート上の所定の位置に設置する工程と、を含むことを特徴とする床下遮湿・除湿工法を提供することで課題を解決した。【選択図】      図１
2004204598.tif 000002
【特許請求の範囲】
【請求項１】
各辺に重ね代を有する四角形の遮湿シートを該遮湿シートのくぼみ部に束石が収まるように位置合わせして建築物の床下地面に順次敷き詰める工程と、前記遮湿シートの重ね代にて前記遮湿シート同士を固定する工程と、つなぎ用遮湿シートを介して前記遮湿シートと前記束石の周囲もしくは基礎立ち上がり部とを固定する工程と、除湿剤入り容器を前記遮湿シート上の所定の位置に設置する工程と、を含むことを特徴とする床下遮湿・除湿工法。
【請求項２】
前記遮湿シートの重ね代がその裏に粘着シールを有していることを特徴とする請求項１記載の床下遮湿・除湿工法。
【請求項３】
前記つなぎ用遮湿シートがその裏に粘着シールを有していることを特徴とする請求項１または２記載の床下遮湿・除湿工法。
【請求項４】
前記除湿剤入り容器を前記遮湿シートの重ね代上に設置することを特徴とする請求項１〜３のいずれかに記載の床下遮湿・除湿工法。
【請求項５】
床下に通路を形成するように前記除湿剤入り容器を設置することを特徴とする請求項４に記載の床下遮湿・除湿工法。
【請求項６】
前記除湿剤が天然物のみからなることを特徴とする請求項１〜５のいずれかに記載の床下遮湿・除湿工法。
【請求項７】
前記除湿剤がシラスとゼオライトを含むものであることを特徴とする請求項１〜６のいずれかに記載の床下遮湿・除湿工法。
【発明の詳細な説明】
【０００１】
【発明の属する技術分野】
本発明は、建築物床下地面からの湿気を遮断し、かつ床下の湿気を除去することで床材の腐食やシロアリの発生を防止する床下遮湿・除湿工法に関する。
【０００２】
【従来の技術】
建築物、特に木造建築物において、床下の湿度を低い状態に保つことは床材の腐食やシロアリの発生を防止し、建築物の耐久性を維持する上で重要な要素の１つであるが、実際には、地面からの湿気、基礎コンクリートや床材の余剰水分、気温差による結露など床下の湿度を上げる要因は多数存在し、さらにはその構造上、水分が乾燥し難く湿気が溜まりやすいため床下の湿度を低い状態に保つことは容易なことではない。
【０００３】
このような床下の湿度を低くするために、近年では、新築時に防湿コンクリートを打ち、さらに基礎の立ち上がり部に換気口もしくは基礎と土台の間に隙間を形成する基礎パッキンなどを設けることで床下の通気を確保し、湿度の低下を図っている。また、防湿コンクリートを打たない場合においては、地面からの湿気の上昇を防止するために防湿シートを敷いたり、さらには、遮湿シート上に除湿・調湿剤等を敷き詰めて床下の湿度を下げることが行われている。
【０００４】
上記のように、近年新築される建築物に関しては床下の湿度環境に配慮して建設されたものが大半であるが、既存の、特に１０年以上前に建築された木造建築物の床下の多くは上記のような床下防湿対策が十分でない場合が多い。例えば、換気口の位置や数が適切でない、防湿シートが全く敷かれていない、もしくは敷いてあっても破れていたり隙間がある、または除湿剤がすでに所望の機能を果たしていない場合などが挙げられる。
【０００５】
こうした場合、適切な処置をすることで床下の湿度環境を改善することは可能であり、特に、防湿シートを敷くことや除湿・調湿剤を設置することは、建築物の基礎構造を変更することなく、比較的安価にかつ容易に行うことができるため広く実施されている。
【０００６】
【特許文献１】
特開平３−２１３２１号公報
【特許文献２】
特開２０００−１４４９４６号公報
【０００７】
【発明が解決しようとする課題】
上記の通り、防湿シートや除湿・調湿剤を設置することはすでに公知であり、これらを新築時の基礎工事と同時に設置することは特に大変な作業ではない。しかし、既存の建築物となると、暗くて狭い床下に潜り込み、基礎コンクリートの立ち上がりや多数の束石などを避けながら防湿シートや除湿・調湿剤の設置作業を行うことになるため、従来型の防湿シートを用いた場合、作業効率が悪く、かつこれらを適切に設置することが困難であった。
【０００８】
上記を鑑みて、本発明は、建築物、特に既存木造建築物の床下の湿度環境を改善する上で、遮湿シートおよび除湿剤を容易かつ適切に床下に設置することのできる、施工性に優れた床下遮湿・除湿工法を提供することを目的とする。
【０００９】
【課題を解決するための手段】
すなわち、本発明は、各辺に重ね代を有する四角形の遮湿シートを該遮湿シートのくぼみ部に束石が収まるように位置合わせして建築物の床下地面に順次敷き詰める工程と、遮湿シートの重ね代にて遮湿シート同士を固定する工程と、つなぎ用遮湿シートを介して遮湿シートと束石の周囲もしくは基礎立ち上がり部とを固定する工程と、除湿剤入り容器を前記遮湿シート上の所定の位置に設置する工程と、を含むことを特徴とする床下遮湿・除湿工法を提供することで課題を解決した。
【００１０】
なお、本発明において「遮湿」という用語は、地表面から上昇してくる湿気を遮断するという意味であり、その意味を強調するために用いたものである。したがって、例えば、本発明の「遮湿シート」と従来技術の「防湿シート」は、その機能においては基本的には同一のものである。
【００１１】
以下、図面を参照して本発明を詳しく説明するが、本発明はこれに限定されるわけではない。
【００１２】
【発明の実施の形態】
本発明に用いる遮湿シートは、図１に示すように、各辺に形成された重ね代１ａを有する四角形の形状である。場合によっては、この重ね代１ａを四角形の１辺、２辺もしくは３辺のみに形成してもよい。本発明の床下防湿工法は、このような形状の遮湿シート１を用いることで束石をそのままの状態にして遮湿シートを容易に敷き詰めることができる。
【００１３】
また、本発明に用いる遮湿シートの大きさは、通常一定間隔で設置されている束石間の距離に応じて決定すればよく、特に限定されない。現場での施工性を考慮すると、あらかじめ束石間の距離を測定し、その距離に基づいて製造されたものを現場にて敷き詰めるだけとしておくことが好ましいが、もちろん設置する個所の形状に合わせて現場にて裁断してもよい。
【００１４】
また、本発明に用いる遮湿シートは、一般的に使用されているものでよいが、好ましくは、ポリエチレン、ポリプロピレン、ポリ塩化ビニル等の透湿性の低いものを用いる。また、これらを複数枚重ねて遮湿シートを形成してもよく、その厚さも特に限定されない。
【００１５】
本発明の床下遮湿・除湿工法では、まず、上記のような形状の遮湿シート１をそのくぼみ部１ｂに束石３が収まるように位置合わせして床下地面に敷き詰め、重ね代にて固定する。また、基礎立ち上がり部７となる箇所は、重ね代１ａを折り曲げて該基礎立ち上がり部に沿わせて固定する。図２（ａ）には、図１の遮湿シート１をそのくぼみ部１ｂに束石３が収まるようにして位置合わせして敷き詰め、粘着シール２で重ね代１ａにて固定した状態を示す。また、図２（ｂ）には、図１の遮湿シート１を基礎立ち上がり部７の隅に収めて敷き、粘着シール２で重ね代１ａにて固定した状態を示す。
【００１６】
本発明の遮湿シート同士を重ね代にて固定する方法としては、どのような方法により行っても構わないが、重ね代の裏面にあらかじめ粘着シールを付与しておき、これを現場にて貼り合わせる方法が施工上好ましく、この場合、該粘着シールが重ね代の長さ方向に隙間なく付与されていることが好ましい。さらに、１つの遮湿シートに形成された４つの重ね代のうち、対抗する２つの重ね代の裏面にのみ粘着シールを付与することがコスト的に好ましく、この場合、隣接する遮湿シートの粘着シール付きの重ね代と付いていない重ね代とを順次敷き詰め、固定する。また、基礎立ち上がり部に重ね代を固定する方法も上記と同様、あらかじめ重ね代裏面に付与された粘着シールにより行うことが好ましい。粘着シールの材質としては、防水性および耐久性の高いものであることが望ましく、例えば、アクリル樹脂系やウレタン樹脂系等が挙げられるが、特に限定されない。
【００１７】
次に、図３の（ａ）〜（ｄ）に示すような、つなぎ用遮湿シート４を介して遮湿シート１と束石３の周囲、もしくは基礎立ち上がり部７とをつないで固定する。このつなぎ用遮湿シートは、遮湿シートと束石の周囲、もしくは基礎立ち上がり部との間に生じうる隙間を無くし、防湿効果を高めるために用いるものであるから、その素材としては上記遮湿シートと同様のものを用いることが好ましい。図４（ａ）および（ｂ）には、束石３の周囲と遮湿シート１とをつなぎ用遮湿シート４を介して固定したときの上面図および断面図を示す。また、図５には、図２の遮湿シートの重ね代間の隙間につなぎ用シートを固定した状態を示す。
【００１８】
本発明のつなぎ用遮湿シートの形状としては、図３の（ａ）〜（ｄ）に示した形状に限らず、遮湿シートと束石の周囲、もしくは基礎立ち上がり部との間に生じうる隙間を無くすことのできる形状であればよい。好ましくは、図３の（ｂ）〜（ｄ）のように、つなぎ用遮湿シート同士を固定し、これらのつなぎ目に生じうる隙間をできる限り覆うことのできる重ね代４ａを有する形状である。さらに、例えば、単独のつなぎ用遮湿シートを２枚つなぎ合わせたもの同士を束石の周囲に抱き合わせるようにして取り付けることのできる形状、図３（ｅ）のように４枚つなぎ合わせたものを束石の周囲に巻き付けるようにして取り付けることのできる形状としてもよく、種々の変更が可能である。
【００１９】
また、本発明のつなぎ用遮湿シートは、遮湿シートと同様、あらかじめ束石の寸法を測定し，その寸法に基づいてこれを作製し、現場では固定するだけとすることが好ましい。なお、一般的に市販されている束石の大きさは１５０×１５０ｍｍである。また、その固定方法は、現場にて接着剤等を用いて行ってもよいが、これも遮湿シートと同様、粘着シールによることが好ましく、予め裏面に付与しておき、現場では貼り付けるだけにしておくことがより好ましい。
【００２０】
以上の工程により地面からの湿気は遮断することが可能となるが、床下の湿度が上昇する原因は換気口などからの雨、基礎面の結露なども考えられるため、これだけでは十分であるとはいえない。そこで、本発明では、さらに除湿剤入り容器を遮湿シート上に設置する工程を有する。
【００２１】
本発明に用いる除湿剤としては、特に限定されないが、例えば、シリカゲル、ゼオライト、アルミナ粉末、石灰、シラス、珪藻土、軽石、塩化カルシウム、もしくは市販の除湿剤等を使用することができるが、除湿剤が天然物のみからなるものであることが、シックハウス症候群に代表される化学物質過敏症の防止やリサイクル性などの観点から好ましく、除湿剤がシラスおよびゼオライトを含むものであることがより好ましい。シラスは南九州に広く分布する火山噴出物の一種で、マグマの主成分であるＳｉＯ２、Ａｉ２Ｏ３、Ｆｅ２Ｏ３、ＦｅＯ、ＭｇＯ、ＣａＯ、Ｎａ２Ｏ、Ｋ２Ｏ等が互いに集まり鉱物として晶出し、その後ほどなく爆発的に噴出して形成されたものであるため、自然界の様々な外的要因に対して変質し難い性質を有しており、長く所望の機能を発揮することができ、また、多孔質な構造であるため、調湿機能に優れており、さらには軽量であるため、除湿剤の設置作業の効率が向上する。さらに、最近では、このシラスが水分と接触することによりマイナスイオンを発生したり、空気を消臭、殺菌することがわかっており、床下の湿度を低下させるだけでなく、空気の浄化をも行うことができる。
【００２２】
除湿剤を入れる容器としては、湿気を通し、除湿剤自体は通さないものであり、かつ床下に持ち込めるものであれば、その材質、形状、大きさ等はどのようなものでもよく、特に限定されない。また、容器に詰める除湿剤の量または除湿剤入り容器の設置個数は、床下に潜り込んでも作業効率が悪くならない程度とすると共に除湿剤の効果を十分に発揮することができるよう考慮して決定する。
【００２３】
また、除湿剤入り容器の設置場所に関しても、特に限定されないが、遮湿シートの中心付近に設置する場合には、その設置面積を広くとることができるため、除湿剤を入れる容器を平らに近いものとし、除湿面積を広げ、除湿効率を上げることができる。したがって、通常より換気効率の悪い、もしくは湿度上昇の要因が多い床下に向いているといえる。
【００２４】
また、これ以外の設置場所としては、遮湿シートの重ね代上が考えられる。この場合には、遮湿シートの重ね代における固定をより強固なものとし、さらには地面からの湿気遮断をより確実なものとすることができる。また、重ね代の固定に粘着シールを使用する場合、これを除湿剤入り容器設置までの仮固定と考えれば、重ね代裏面への付与箇所を少なくすることができ、経済的である。さらに、図６に示すように、床下に通路を形成するように除湿剤入り容器６を重ね代上に設置してもよい。この場合、１枚の遮湿シートに対して除湿剤入り容器を少なくとも２つ以上設置することが遮湿シートを固定する観点から好ましい。通路形成上１つしか設置できない場合には、設置されていない重ね代を粘着シール等によりしっかり固定する。このような通路を形成した場合、床下の点検、メンテナンス、その他床下に潜って行う必要のある作業を行う際、形成していない場合と比較して容器をまたいだり、どかしたりする余計な作業を減らすことができるため、床下での各種作業を容易にかつ効率的に行うことができる。
【００２５】
本発明の床下遮湿・除湿工法は、以上のような手順で行うことができるが、もちろん、遮湿シートを敷き詰めながら除湿剤入り容器を設置していっても構わない。また、防蟻処理や防腐・防カビ処理等を行う工程を有していてもよい。
【００２６】
【発明の効果】
本発明によれば、建築物、特に既存木造建築物の床下の湿度環境を改善する上で、遮湿シートおよび除湿剤を容易かつ適切に床下に設置することのできる、施工性に優れた床下遮湿・除湿工法を提供することができる。
【００２７】
また、本発明の床下遮湿・除湿工法により、床下環境を適切に改善することで、床材に対するカビ・害虫の発生を防止し、建築物の寿命を延ばすことができ、さらには、床下に残っているシロアリ駆除剤の気化をも遮断することができるため、そこに居住する人の健康にも寄与することになる。
【図面の簡単な説明】
【図１】本発明に用いる遮湿シートの一例を示す斜視図。
【図２】（ａ）  図１の遮湿シートを床下に敷き詰めた状態を示す図。
（ｂ）  図１の遮湿シートを基礎立ち上がり部に収めて敷いた状態を示す図。
【図３】本発明に用いるつなぎ用遮湿シートの複数例を示す斜視図。
【図４】（ａ）  図３（ｃ）のつなぎ用遮湿シートを束石の周囲に貼り付けたときの上面図。
（ｂ）  図３（ｃ）のつなぎ用遮湿シートを束石の周囲に貼り付けたときの断面図。
【図５】図２（ｂ）の遮湿シートの隙間につなぎ用シートを固定した状態を示す図。
【図６】床下に通路を形成するように除湿剤入り容器を遮湿シートの重ね代上に設置した状態を示す図。
【符号の説明】
１  遮湿シート
１ａ  重ね代
１ｂ  くぼみ部
２  粘着シール
３  束石
４  つなぎ用遮湿シート
４ａ  重ね代
５  束
６  除湿剤入り容器
７  基礎立ち上がり部
１０  地面
【図１】
2004204598.tif 000003
【図２】
2004204598.tif 000004
【図３】
2004204598.tif 000005
【図４】
2004204598.tif 000006
【図５】
2004204598.tif 000007
【図６】
2004204598.tif 000008